(57)【特許請求の範囲】
【請求項１】
ｎが２以上の整数であり、ｉが１からｎまでの各々であり、ｉが１からｎまでの各々である場合にｊが１からｎまでのいずれかでありｉと異なり、第１から第ｎまでの映像再生装置を備え、第ｉの映像再生装置が第ｉの映像復元部、第ｉの主映像出力部、第ｉの副映像出力部、第ｉの主出力端子、第ｉの副出力端子および第ｉの制御部を備え、前記第ｉの映像復元部が第ｉの映像データおよび第ｊの映像データに対して復元再生を行うことによりそれぞれ第ｉの映像信号および第ｊの映像信号を生成し、前記第ｉの主映像出力部が前記第ｉの映像信号を前記第ｉの主出力端子から出力し、前記第ｉの副映像出力部が前記第ｊの映像信号を前記第ｉの副出力端子から出力し、前記第ｉの制御部が前記第ｉの映像復元部、前記第ｉの主映像出力部および前記第ｉの副映像出力部を制御する映像再生装置群と、
第１から第ｎまでのディスプレイを備え、前記第１から第ｎまでのディスプレイを配列することにより構成され、第ｉのディスプレイが、第ｉの主入力端子、第ｉの副入力端子、第ｉの入力選択部および第ｉの表示部を備え、前記第ｉの入力選択部が前記第ｉの主入力端子および前記第ｉの副入力端子の一方を選択し、前記第ｉの表示部が前記一方に入力される映像信号により表現される映像を表示し、前記第ｉの映像信号が前記第ｉの主出力端子から出力される場合に前記第ｉの映像信号が前記第ｉの主入力端子に入力されるように前記第ｉの主出力端子が前記第ｉの主入力端子に接続され、前記第ｊの映像信号が前記第ｉの副出力端子から出力される場合に前記第ｊの映像信号が第ｊの副入力端子に入力されるように前記第ｉの副出力端子が前記第ｊの副入力端子に接続されるマルチディスプレイと、
第ｊの映像再生装置の故障を検知する故障検知部と、前記故障が検知されている場合に、前記第ｉの映像信号を前記第ｉの主出力端子から出力させ前記第ｊの映像信号を前記第ｉの副出力端子から出力させる制御を前記第ｉの制御部に行わせ前記第ｊの副入力端子を第ｊの入力選択部に選択させる管理を行う接続管理部と、を備える制御装置と、
を備えるマルチディスプレイシステム。
【請求項２】
前記制御が第１の制御であり、
前記管理が第１の管理であり、
前記接続管理部は、前記故障が検知されていない場合に、前記第ｉの映像信号を前記第ｉの主出力端子から出力させるが前記第ｊの映像信号を前記第ｉの副出力端子から出力させない第２の制御を前記第ｉの制御部に行わせ第ｊの主入力端子を前記第ｊの入力選択部に選択させる第２の管理を行い、
前記第ｉの映像復元部は、前記第１の制御が行われている場合は、第１の処理負荷を前記第ｉの映像復元部に与える第１の復元再生方法を用いて前記第ｉの映像データおよび前記第ｊの映像データの各々に対して復元再生を行い、前記第２の制御が行われている場合は、前記第１の処理負荷より高い第２の処理負荷を前記第ｉの映像復元部に与える第２の復元再生方法を用いて前記第ｉの映像データに対して復元再生を行うが前記第ｊの映像データに対して復元再生を行わない
請求項１のマルチディスプレイシステム。
【請求項３】
前記第ｉの映像再生装置は、
前記第ｉの映像復元部の負荷状態を監視する第ｉの監視部
をさらに備え、
前記第ｉの映像復元部は、前記負荷状態が第１の状態である場合は、第１の処理負荷を前記第ｉの映像復元部に与える第１の復元再生方法を用い、前記負荷状態が前記第１の状態より低い第２の状態である場合は、前記第１の処理負荷より高い第２の処理負荷を前記第ｉの映像復元部に与える第２の復元再生方法を用いる
請求項１のマルチディスプレイシステム。
【請求項４】
前記制御が第１の制御であり、
前記管理が第１の管理であり、
前記接続管理部は、前記故障が検知される前に、前記第ｉの映像信号を前記第ｉの主出力端子から出力させるが前記第ｊの映像信号を前記第ｉの副出力端子から出力させない第２の制御を前記第ｉの制御部に行わせ第ｊの主入力端子を前記第ｊの入力選択部に選択させる第２の管理を行い、前記故障が検知された後に前記故障が検知されなくなった場合に、前記第２の管理を再び行う
請求項１から３までのいずれかのマルチディスプレイシステム。
【発明の詳細な説明】
【技術分野】
【０００１】
本発明は、複数のディスプレイを配列することにより構成されるマルチディスプレイを備えるマルチディスプレイシステムに関する。
【背景技術】
【０００２】
マルチディスプレイシステムに備えられるマルチディスプレイは、複数のディスプレイを例えば格子状に配列することにより構成される。マルチディスプレイシステムは、電力、交通、プラント等のインフラ分野における監視制御に用いられる映像表示装置として広く活用されている。当該監視制御においては、監視映像、監視情報等がマルチディスプレイに表示される。
【０００３】
当該監視制御においては、一時の停滞も許されない。このため、監視制御に用いられる映像表示装置として活用されるマルチディスプレイシステムには、高度な信頼性が要求される。
【０００４】
特許文献１に記載された技術に代表される従来の技術においては、マルチディスプレイシステムの可用性を向上するために、マルチディスプレイに接続される映像再生装置が冗長に配置され、機器に故障が発生した場合には予備の映像再生装置への切り替えを行うことにより表示が継続される。
【先行技術文献】
【特許文献】
【０００５】
【特許文献１】特許第４６７５５６７号明細書
【発明の概要】
【発明が解決しようとする課題】
【０００６】
上記のように映像再生装置が冗長に配置されるマルチディスプレイシステムにおいては、予備の映像再生装置が少なくとも１台は必要であるため、映像再生装置が冗長に配置されないマルチディスプレイシステムと比較して、システム全体のコストが高くなる。また、異常が発生していない通常時においては、予備の映像出力装置が使用されず、設備投資コストの無駄が生じていた。
【０００７】
本発明は、この問題を解決するためになされる。本発明が解決しようとする課題は、マルチディスプレイシステムにおいて、予備の映像再生装置を準備せずに映像再生装置が故障した場合でも映像の表示が継続されるようにすることである。
【課題を解決するための手段】
【０００８】
本発明は、マルチディスプレイシステムに向けられる。
【０００９】
マルチディスプレイシステムは、映像再生装置群、マルチディスプレイおよび制御装置を備える。
【００１０】
以下においては、ｎが２以上の整数であり、ｉが１からｎまでの各々であり、ｉが１からｎまでの各々である場合にｊが１からｎまでのいずれかでありｉと異なる。
【００１１】
映像再生装置群は、第１から第ｎまでの映像再生装置を備える。第ｉの映像再生装置は、第ｉの映像復元部、第ｉの主映像出力部、第ｉの副映像出力部、第ｉの主出力端子、第ｉの副出力端子および第ｉの制御部を備える。第ｉの映像復元部は、第ｉの映像データに対して復元再生を行うことにより第ｉの映像信号を生成し、第ｊの映像データに対して復元再生を行うことにより第ｊの映像信号を生成する。第ｉの主映像出力部は、第ｉの映像信号を第ｉの主出力端子から出力する。第ｉの副映像出力部は、第ｊの映像信号を第ｉの副出力端子から出力する。第ｉの制御部は、第ｉの映像復元部、第ｉの主映像出力部および第ｉの副映像出力部を制御する。
【００１２】
マルチディスプレイは、第１から第ｎまでのディスプレイを備え、第１から第ｎまでのディスプレイを配列することにより構成される。第ｉのディスプレイは、第ｉの主入力端子、第ｉの副入力端子、第ｉの入力選択部および第ｉの表示部を備える。第ｉの入力選択部は、第ｉの主入力端子および前記第ｉの副入力端子の一方を選択する。第ｉの表示部は、当該一方に入力される第ｉの映像信号により表現される映像を表示する。
【００１３】
第ｉの主出力端子は、第ｉの主入力端子に接続される。これにより、第ｉの映像信号が第ｉの主出力端子から出力される場合に第ｉの映像信号が第ｉの主入力端子に入力される。
【００１４】
第ｉの副出力端子は、第ｊの副入力端子に接続される。これにより、第ｊの映像信号が第ｉの副出力端子から出力される場合に第ｊの映像信号が第ｊの副入力端子に入力される。
【００１５】
制御装置は、故障検知部および接続管理部を備える。故障検知部は、第ｊの映像再生装置の故障を検知する。接続管理部は、故障が検知されている場合に、第ｉの映像信号を第ｉの主出力端子から出力させ第ｊの映像信号を第ｉの副出力端子から出力させる制御を第ｉの制御部に行わせ第ｊの副入力端子を第ｊの入力選択部に選択させる管理を行う。
【発明の効果】
【００１６】
本発明によれば、映像再生装置が故障した場合でも映像の表示が継続される。また、映像の表示を継続するために予備の映像再生装置を準備する必要がなく、システム全体のコストが抑制される。
【図面の簡単な説明】
【００１７】
【図１】マルチディスプレイシステムを示すブロック図である。
【図２】映像再生装置を示すブロック図である。
【図３】ディスプレイを示すブロック図である。
【図４】制御装置を示すブロック図である。
【図５】接続管理データを示す図である。
【図６】映像配信装置により配信される映像およびディスプレイに表示される映像を示す図である。
【図７】映像再生装置群が故障した映像再生装置を含まない場合の映像データおよび映像信号の流れを示す図である。
【図８】映像再生装置群が故障した映像再生装置を含む場合の映像データおよび映像信号の流れを示す図である。
【発明を実施するための形態】
【００１８】
１  マルチディスプレイシステム
図１は、この実施の形態のマルチディスプレイシステムを示すブロック図である。
【００１９】
図１に示されるマルチディスプレイシステム１００は、映像配信装置群１０２、映像再生装置群１０４、ケーブル群１０６、マルチディスプレイ１０８および制御装置１１０を備える。マルチディスプレイシステム１００がこれらの構成物以外の構成物を備えてもよい。
【００２０】
映像配信装置群１０２は、映像配信装置１０２ａ，１０２ｂ，１０２ｃおよび１０２ｄを備える。映像配信装置１０２ａ，１０２ｂ，１０２ｃおよび１０２ｄは、それぞれ映像データＩＤａ，ＩＤｂ，ＩＤｃおよびＩＤｄを送信する。映像配信装置１０２ａ，１０２ｂ，１０２ｃおよび１０２ｄの各々は、例えば監視カメラである。映像配信装置１０２ａ，１０２ｂ，１０２ｃおよび１０２ｄの各々が監視カメラ以外の装置であってもよい。映像データＩＤａ，ＩＤｂ，ＩＤｃおよびＩＤｄの各々は、映像信号を変換することにより得られ、定められたフォーマットを有する。
【００２１】
映像データＩＤａ，ＩＤｂ，ＩＤｃおよびＩＤｄは、ネットワークにより映像配信装置群１０２から映像再生装置群１０４へ伝送される。ネットワークは、典型的にはEthernet（登録商標）にしたがって構成される。ネットワークがEthernet（登録商標）以外の規格にしたがって構成されてもよい。
【００２２】
映像再生装置群１０４は、映像再生装置１０４ａ，１０４ｂ，１０４ｃおよび１０４ｄを備える。映像再生装置群１０４は、映像データＩＤａ，ＩＤｂ，ＩＤｃおよびＩＤｄを受信し、受信した映像データＩＤａ，ＩＤｂ，ＩＤｃおよびＩＤｄに対して復元再生を行い、映像信号ＩＳａ，ＩＳｂ，ＩＳｃおよびＩＳｄを生成し、生成した映像信号ＩＳａ，ＩＳｂ，ＩＳｃおよびＩＳｄを出力する。映像再生装置１０４ａ，１０４ｂ，１０４ｃおよび１０４ｄの各々は、例えばパーソナルコンピュータにより構成される。映像再生装置１０４ａ，１０４ｂ，１０４ｃおよび１０４ｄの各々がパーソナルコンピュータ以外の装置により構成されてもよい。
【００２３】
ケーブル群１０６は、ケーブル１０６ａ，１０６ｂ，１０６ｃ，１０６ｄ，１０６ｅ，１０６ｆ，１０６ｇおよび１０６ｈを備える。ケーブル群１０６は、映像信号ＩＳａ，ＩＳｂ，ＩＳｃおよびＩＳｄを映像再生装置群１０４からマルチディスプレイ１０８へ伝送する。ケーブル群１０６が無線伝送装置に置き換えられてもよい。ケーブル群１０６が無線伝送装置に置き換えられる場合は、ケーブル群１０６による有線接続が無線伝送装置による無線接続に置き換えられ、映像信号ＩＳａ，ＩＳｂ，ＩＳｃおよびＩＳｄが映像再生装置群１０４からマルチディスプレイ１０８へ無線伝送される。
【００２４】
マルチディスプレイ１０８は、ディスプレイ１０８ａ，１０８ｂ，１０８ｃおよび１０８ｄを備え、ディスプレイ１０８ａ，１０８ｂ，１０８ｃおよび１０８ｄを配列することにより構成される。ディスプレイ１０８ａ，１０８ｂ，１０８ｃおよび１０８ｄは、ディスプレイ１０８ａ，１０８ｂ，１０８ｃおよび１０８ｄに備えられる４個の画面により１個のマルチ画面が構成されるように配列される。ディスプレイ１０８ａ，１０８ｂ，１０８ｃおよび１０８ｄは、それぞれ映像信号ＩＳａ，ＩＳｂ，ＩＳｃおよびＩＳｄにより表現される映像を表示する。
【００２５】
映像再生装置群１０４を構成する映像再生装置の台数は、マルチディスプレイ１０８を構成するディスプレイの台数に一致する。このため、ディスプレイ１０８ａ，１０８ｂ，１０８ｃおよび１０８ｄからなる４台のディスプレイが２台のディスプレイ、３台のディスプレイまたは５台以上のディスプレイに置き換えられる場合は、映像再生装置１０４ａ，１０４ｂ，１０４ｃおよび１０４ｄからなる４台の映像再生装置がそれぞれ２台の映像再生装置、３台の映像再生装置または５台以上の映像再生装置に置き換えられる。
【００２６】
制御装置１１０は、映像再生装置１０４ａ，１０４ｂ，１０４ｃおよび１０４ｄならびにディスプレイ１０８ａ，１０８ｂ，１０８ｃおよび１０８ｄを制御する。制御装置１１０は、例えばパーソナルコンピュータにより構成される。制御装置１１０がパーソナルコンピュータ以外の装置により構成されてもよい。制御装置１１０は、映像再生装置１０４ａ，１０４ｂ，１０４ｃおよび１０４ｄの各々に通信可能に接続され、ディスプレイ１０８ａ，１０８ｂ，１０８ｃおよび１０８ｄの各々に通信可能に接続される。通信は、RS-232Cにしたがって通信を行う汎用通信インターフェースまたはEthernet（登録商標）にしたがって構築されたネットワークを経由して通信を行う汎用通信インターフェースにより行われる。これらの汎用通信インターフェースが他の種類の通信インターフェースに置き換えられてもよい。
【００２７】
映像再生装置１０４ａ，１０４ｂ，１０４ｃおよび１０４ｄは、それぞれディスプレイ１０８ａ，１０８ｂ，１０８ｃおよび１０８ｄに対応する。映像再生装置１０４ｂ，１０４ａ，１０４ｄおよび１０４ｃは、それぞれ映像再生装置１０４ａ，１０４ｂ，１０４ｃおよび１０４ｄのバックアップとして機能する。
【００２８】
ディスプレイ１０８ａ，１０８ｂ，１０８ｃおよび１０８ｄは、通常時においては、それぞれ対応する映像再生装置１０４ａ，１０４ｂ，１０４ｃおよび１０４ｄからそれぞれ映像信号ＩＳａ，ＩＳｂ，ＩＳｃおよびＩＳｄの供給を受ける。しかし、ディスプレイ１０８ａは、対応する映像再生装置１０４ａが故障した場合は、故障した映像再生装置１０４ａのバックアップとして機能する映像再生装置１０４ｂから映像信号ＩＳａの供給を受ける。また、ディスプレイ１０８ｂは、対応する映像再生装置１０４ｂが故障した場合は、故障した映像再生装置１０４ｂのバックアップとして機能する映像再生装置１０４ａから映像信号ＩＳｂの供給を受ける。また、ディスプレイ１０８ｃは、対応する映像再生装置１０４ｃが故障した場合は、故障した映像再生装置１０４ｃのバックアップとして機能する映像再生装置１０４ｄから映像信号ＩＳｃの供給を受ける。また、ディスプレイ１０８ｄは、対応する映像再生装置１０４ｄが故障した場合は、故障した映像再生装置１０４ｄのバックアップとして機能する映像再生装置１０４ｃから映像信号ＩＳｄの供給を受ける。
【００２９】
２  接続関係
映像再生装置１０４ａは、主出力端子１２２ａおよび副出力端子１２４ａを備え、主出力端子１２２ａから映像信号ＩＳａを出力し、副出力端子１２４ａから映像信号ＩＳｂを出力する。映像再生装置１０４ｂは、主出力端子１２２ｂおよび副出力端子１２４ｂを備え、主出力端子１２２ｂから映像信号ＩＳｂを出力し、副出力端子１２４ｂから映像信号ＩＳａを出力する。映像再生装置１０４ｃは、主出力端子１２２ｃおよび副出力端子１２４ｃを備え、主出力端子１２２ｃから映像信号ＩＳｃを出力し、副出力端子１２４ｃから映像信号ＩＳｄを出力する。映像再生装置１０４ｄは、主出力端子１２２ｄおよび副出力端子１２４ｄを備え、主出力端子１２２ｄから映像信号ＩＳｄを出力し、副出力端子１２４ｄから映像信号ＩＳｃを出力する。
【００３０】
ディスプレイ１０８ａは、主入力端子１３２ａおよび副入力端子１３４ａを備え、主入力端子１３２ａおよび副入力端子１３４ａの一方に入力された映像信号ＩＳａにより表現される映像を表示する。ディスプレイ１０８ｂは、主入力端子１３２ｂおよび副入力端子１３４ｂを備え、主入力端子１３２ｂおよび副入力端子１３４ｂの一方に入力された映像信号ＩＳｂにより表現される映像を表示する。ディスプレイ１０８ｃは、主入力端子１３２ｃおよび副入力端子１３４ｃを備え、主入力端子１３２ｃおよび副入力端子１３４ｃの一方に入力された映像信号ＩＳｃにより表現される映像を表示する。ディスプレイ１０８ｄは、主入力端子１３２ｄおよび副入力端子１３４ｄを備え、主入力端子１３２ｄおよび副入力端子１３４ｄの一方に入力された映像信号ＩＳｄにより表現される映像を表示する。
【００３１】
主出力端子１２２ａは、ケーブル１０６ａにより主入力端子１３２ａに電気的に接続される。これにより、映像信号ＩＳａが主出力端子１２２ａから出力される場合に映像信号ＩＳａが主入力端子１３２ａに入力される。主出力端子１２２ｂは、ケーブル１０６ｂにより主入力端子１３２ｂに電気的に接続される。これにより、映像信号ＩＳｂが主出力端子１２２ｂから出力される場合に映像信号ＩＳｂが主入力端子１３２ｂに入力される。主出力端子１２２ｃは、ケーブル１０６ｃにより主入力端子１３２ｃに電気的に接続される。これにより、映像信号ＩＳｃが主出力端子１２２ｃから出力される場合に映像信号ＩＳｃが主入力端子１３２ｃに入力される。主出力端子１２２ｄは、ケーブル１０６ｄにより主入力端子１３２ｄに電気的に接続される。これにより、映像信号ＩＳｄが主出力端子１２２ｄから出力される場合に映像信号ＩＳｄが主入力端子１３２ｄに入力される。
【００３２】
副出力端子１２４ａは、ケーブル１０６ｅにより副入力端子１３４ｂに電気的に接続される。これにより、映像信号ＩＳｂが副出力端子１２４ａから出力される場合に映像信号ＩＳｂが副入力端子１３４ｂに入力される。副出力端子１２４ｂは、ケーブル１０６ｆにより副入力端子１３４ａに電気的に接続される。これにより、映像信号ＩＳａが副出力端子１２４ｂから出力される場合に映像信号ＩＳａが副入力端子１３４ａに入力される。副出力端子１２４ｃは、ケーブル１０６ｇにより副入力端子１３４ｄに電気的に接続される。これにより、映像信号ＩＳｄが副出力端子１２４ｃから出力される場合に映像信号ＩＳｄが副入力端子１３４ｄに入力される。副出力端子１２４ｄは、ケーブル１０６ｈにより副入力端子１３４ｃに電気的に接続される。これにより、映像信号ＩＳｃが副出力端子１２４ｄから出力される場合に映像信号ＩＳｃが副入力端子１３４ｃに入力される。
【００３３】
副出力端子１２４ａが副入力端子１３４ｃまたは１３４ｄに接続されてもよい。副出力端子１２４ａが副入力端子１３４ｃに接続される場合は、映像信号ＩＳｃが副出力端子１２４ａから出力され副入力端子１３４ｃに入力される。副出力端子１２４ａが副入力端子１３４ｄに接続される場合は、映像信号ＩＳｄが副出力端子１２４ａから出力され副入力端子１３４ｄに入力される。副出力端子１２４ｂが副入力端子１３４ｃまたは１３４ｄに接続されてもよい。副出力端子１２４ｂが副入力端子１３４ｃに接続される場合は、映像信号ＩＳｃが副出力端子１２４ｂから出力され副入力端子１３４ｃに入力される。副出力端子１２４ｂが副入力端子１３４ｄに接続される場合は、映像信号ＩＳｄが副出力端子１２４ｂから出力され副入力端子１３４ｄに入力される。副出力端子１２４ｃが副入力端子１３４ａまたは１３４ｂに接続されてもよい。副出力端子１２４ｃが副入力端子１３４ａに接続される場合は、映像信号ＩＳａが副出力端子１２４ｃから出力され副入力端子１３４ａに入力される。副出力端子１２４ｃが副入力端子１３４ｂに接続される場合は、映像信号ＩＳｂが副出力端子１２４ｃから出力され副入力端子１３４ｂに入力される。副出力端子１２４ｄが副入力端子１３４ａまたは１３４ｂに接続されてもよい。副出力端子１２４ｄが副入力端子１３４ａに接続される場合は、映像信号ＩＳａが副出力端子１２４ｄから出力され副入力端子１３４ａに入力される。副出力端子１２４ｄが副入力端子１３４ｂに接続される場合は、映像信号ＩＳｂが副出力端子１２４ｄから出力され副入力端子１３４ｂに入力される。
【００３４】
一般的に言って、主出力端子１２２ａ，１２２ｂ，１２２ｃおよび１２２ｄをそれぞれ第１、第２、第３および第４の主出力端子とし、副出力端子１２４ａ，１２４ｂ，１２４ｃおよび１２４ｄをそれぞれ第１、第２、第３および第４の副出力端子とし、主入力端子１３２ａ，１３２ｂ，１３２ｃおよび１３２ｄをそれぞれ第１、第２、第３および第４の主入力端子とし、副入力端子１３４ａ，１３４ｂ，１３４ｃおよび１３４ｄをそれぞれ第１、第２、第３および第４の副入力端子とした場合は、第ｉの主出力端子が第ｉの主入力端子に接続され、第ｉの副出力端子が第ｊの副入力端子に接続される。ｉは、１，２，３および４の各々であり、ｊは、ｉが１，２，３および４の各々である場合に１，２，３および４のいずれかでありｉと異なる。これにより、第ｉの映像信号が第ｉの主出力端子から出力され第ｉの主入力端子に入力され、第ｊの映像信号が第ｉの副出力端子から出力され第ｊの副入力端子に入力される。第１、第２、第３および第４の映像信号は、それぞれ映像信号ＩＳａ，ＩＳｂ，ＩＳｃおよびＩＳｄである。
【００３５】
３  映像再生装置
図２は、映像再生装置を示すブロック図である。
【００３６】
図２に示される映像再生装置１４０は、システムバス１４２、受信部１４４、プログラムデータファイル１４６、映像復元部１４８、メモリ１５０、主映像出力部１５２、副映像出力部１５４、主出力端子１５６、副出力端子１５８、制御部１６０および監視部１６２を備える。映像再生装置１４０がこれらの構成物以外の構成物を備えてもよい。映像再生装置１４０からこれらの構成物の一部が省略される場合もある。受信部１４４、映像復元部１４８、主映像出力部１５２、副映像出力部１５４、制御部１６０および監視部１６２の各々は、コンピューターにプログラムを実行させることにより実現される。受信部１４４、映像復元部１４８、主映像出力部１５２、副映像出力部１５４、制御部１６０および監視部１６２の各々がコンピューターでないハードウェアにより実現されてもよい。
【００３７】
映像再生装置１４０は、映像再生装置１０４ａ，１０４ｂ，１０４ｃおよび１０４ｄの各々を示す。映像再生装置１４０が映像再生装置１０４ａを示す場合は、主出力端子１５６および副出力端子１５８はそれぞれ主出力端子１２２ａおよび副出力端子１２４ａを示す。映像再生装置１４０が映像再生装置１０４ｂを示す場合は、主出力端子１５６および副出力端子１５８はそれぞれ主出力端子１２２ｂおよび副出力端子１２４ｂを示す。映像再生装置１４０が映像再生装置１０４ｃを示す場合は、主出力端子１５６および副出力端子１５８はそれぞれ主出力端子１２２ｃおよび副出力端子１２４ｃを示す。映像再生装置１４０が映像再生装置１０４ｄを示す場合は、主出力端子１５６および副出力端子１５８はそれぞれ主出力端子１２２ｄおよび副出力端子１２４ｄを示す。
【００３８】
システムバス１４２は、共通バスである。システムバス１４２には、受信部１４４、プログラムデータファイル１４６、映像復元部１４８、メモリ１５０、主映像出力部１５２、副映像出力部１５４、主出力端子１５６、副出力端子１５８、制御部１６０および監視部１６２の各々が接続される。これにより、受信部１４４、プログラムデータファイル１４６、映像復元部１４８、メモリ１５０、主映像出力部１５２、副映像出力部１５４、主出力端子１５６、副出力端子１５８、制御部１６０および監視部１６２に含まれる一の構成物から、受信部１４４、プログラムデータファイル１４６、映像復元部１４８、メモリ１５０、主映像出力部１５２、副映像出力部１５４、主出力端子１５６、副出力端子１５８、制御部１６０および監視部１６２に含まれる他の構成物にデータを伝送できる。
【００３９】
受信部１４４は、ネットワークにより伝送されてきた映像データＩＤｍを受信し、受信した映像データＩＤｍをメモリ１５０に一時的に格納する。映像再生装置１４０が映像再生装置１０４ａを示す場合は、映像データＩＤｍは映像データＩＤａである。映像再生装置１４０が映像再生装置１０４ｂを示す場合は、映像データＩＤｍは映像データＩＤｂである。映像再生装置１４０が映像再生装置１０４ｃを示す場合は、映像データＩＤｍは映像データＩＤｃである。映像再生装置１４０が映像再生装置１０４ｄを示す場合は、映像データＩＤｍは映像データＩＤｄである。
【００４０】
また、受信部１４４は、映像再生装置１４０がバックアップとして機能する場合は、ネットワークにより伝送されてきた映像データＩＤｓをさらに受信し、受信した映像データＩＤｓをメモリ１５０に一時的に格納する。映像再生装置１４０が映像再生装置１０４ａを示す場合は、映像データＩＤｓは映像データＩＤｂである。映像再生装置１４０が映像再生装置１０４ｂを示す場合は、映像データＩＤｓは映像データＩＤａである。映像再生装置１４０が映像再生装置１０４ｃを示す場合は、映像データＩＤｓは映像データＩＤｄである。映像再生装置１４０が映像再生装置１０４ｄを示す場合は、映像データＩＤｓは映像データＩＤｃである。
【００４１】
映像再生装置１４０が、受信部１４４に代えてまたは受信部１４４に加えて、映像データＩＤｍおよびＩＤｓの両方または片方を記憶媒体から読み取る読み取り部を備えてもよく、映像データＩＤｍおよびＩＤｓの両方または片方を自ら生成する生成部を備えてもよい。
【００４２】
プログラムデータファイル１４６は、プログラムデータが記憶されたストレージである。プログラムデータファイル１４６には、一時的に格納された映像データＩＤｍおよびＩＤｓの各々に対して復元再生を行うための制御プログラム等のプログラムが記憶される。
【００４３】
映像復元部１４８は、プログラムデータファイル１４６に記憶された制御プログラムにしたがって、一時的に格納された映像データＩＤｍおよびＩＤｓに対して復元再生を行うことにより、それぞれ映像信号ＩＳｍおよびＩＳｓを生成し、生成した映像信号ＩＳｍおよびＩＳｓをそれぞれ主映像出力部１５２および副映像出力部１５４にシステムバス１４２を経由して出力する。映像復元部１４８は、時分割処理等により映像データＩＤｍおよびＩＤｓに対して同時に復元再生を行うことができる。映像データＩＤｍが映像データＩＤａ，ＩＤｂ，ＩＤｃまたはＩＤｄである場合は、映像信号ＩＳｍはそれぞれ映像信号ＩＳａ，ＩＳｂ，ＩＳｃまたはＩＳｄである。映像データＩＤｓが映像データＩＤａ，ＩＤｂ，ＩＤｃまたはＩＤｄである場合は、映像信号ＩＳｓはそれぞれ映像信号ＩＳａ，ＩＳｂ，ＩＳｃまたはＩＳｄである。
【００４４】
映像復元部１４８は、第１の復元再生方法または第２の復元再生方法を用いて映像データＩＤｍおよびＩＤｓの各々に対して復元再生を行う。第２の復元再生方法が映像復元部１４８に与える処理負荷は、第１の復元再生方法が映像復元部１４８に与える処理負荷より高い。例えば、第１の復元再生方法においては、コマ落とし等の処理が行われ、復元再生が行われるデータ量が削減され、第２の復元再生方法においては、コマ落とし等の処理が行われず、入力された映像データの全部に対して復元再生が行われる。第１の復元再生方法において、フレームレートが下げられてもよい。第１の復元再生方法および第２の復元再生方法の内容は、あらかじめ設定され、プログラムデータファイル１４６に記憶させられる。映像復元部１４８が用いることができる復元再生方法が、互いに異なる処理負荷を映像復元部１４８に与える３種類以上の復元再生方法を含んでもよい。
【００４５】
主映像出力部１５２は、入力された映像信号ＩＳｍを主出力端子１５６から出力する。
【００４６】
副映像出力部１５４は、入力された映像信号ＩＳｓを副出力端子１５８から出力する。
【００４７】
制御部１６０は、制御装置１１０から伝送されてくる出力制御指令にしたがって、受信部１４４、映像復元部１４８、主映像出力部１５２および副映像出力部１５４を制御する。これにより、主出力端子１５６からの映像信号ＩＳｍの出力および副出力端子１５８からの映像信号ＩＳｓの出力が制御され、映像復元部１４８が用いる復元再生方法が切り替えられる。制御部１６０の動作は、プログラムデータファイル１４６に記憶されるプログラムにより定義される。
【００４８】
監視部１６２は、受信部１４４、映像復元部１４８、主映像出力部１５２、副映像出力部１５４等を監視し、映像再生装置１４０の故障の有無を示す故障状況通知を制御装置１１０に送信する。
【００４９】
４  ディスプレイ
図３は、ディスプレイを示すブロック図である。
【００５０】
図３に示されるディスプレイ１７０は、主入力端子１７２、副入力端子１７４、入力選択部１７６および表示部１７８を備える。ディスプレイ１７０がこれらの構成物以外の構成物を備えてもよい。
【００５１】
ディスプレイ１７０は、ディスプレイ１０８ａ，１０８ｂ，１０８ｃおよび１０８ｄの各々を示す。ディスプレイ１７０がディスプレイ１０８ａを示す場合は、主入力端子１７２および副入力端子１７４はそれぞれ主入力端子１３２ａおよび副入力端子１３４ａを示す。ディスプレイ１７０がディスプレイ１０８ｂを示す場合は、主入力端子１７２および副入力端子１７４はそれぞれ主入力端子１３２ｂおよび副入力端子１３４ｂを示す。ディスプレイ１７０がディスプレイ１０８ｃを示す場合は、主入力端子１７２および副入力端子１７４はそれぞれ主入力端子１３２ｃおよび副入力端子１３４ｃを示す。ディスプレイ１７０がディスプレイ１０８ｄを示す場合は、主入力端子１７２および副入力端子１７４はそれぞれ主入力端子１３２ｄおよび副入力端子１３４ｄを示す。
【００５２】
入力選択部１７６は、制御装置１１０から伝送されてくる入力制御命令にしたがって、主入力端子１７２および副入力端子１７４の一方を選択する。
【００５３】
表示部１７８には、選択された一方に入力される映像信号ＩＳにより表現される映像が表示される。ディスプレイ１７０がディスプレイ１０８ａ，１０８ｂ，１０８ｃまたは１０８ｄを示す場合は、映像信号ＩＳはそれぞれ映像信号ＩＳａ，ＩＳｂ，ＩＳｃまたはＩＳｄである。
【００５４】
５  制御装置
図４は、制御装置を示すブロック図である。
【００５５】
図４に示される制御装置１１０は、故障検知部１８２および接続管理部１８４を備える。制御装置１１０がこれらの構成物以外の構成物を備えてもよい。故障検知部１８２および接続管理部１８４の各々は、コンピューターにプログラムを実行させることにより実現される。故障検知部１８２および接続管理部１８４の各々がコンピューターでないハードウェアにより実現されてもよい。
【００５６】
故障検知部１８２は、映像再生装置１０４ａ，１０４ｂ，１０４ｃおよび１０４ｄの各々から伝送されてくる故障状況通知を受信し、映像再生装置１０４ａ，１０４ｂ，１０４ｃおよび１０４ｄの各々の故障を検知する。映像再生装置１０４ａ，１０４ｂ，１０４ｃおよび１０４ｄの各々から伝送されてくる故障状況通知以外から映像再生装置１０４ａ，１０４ｂ，１０４ｃおよび１０４ｄの各々の故障が検知されてもよい。例えば、映像再生装置１０４ａ，１０４ｂ，１０４ｃおよび１０４ｄの各々の故障を制御装置１１０に伝えるための操作部材が備えられ、当該操作部材に対する操作から映像再生装置１０４ａ，１０４ｂ，１０４ｃおよび１０４ｄの各々の故障が検知されてもよい。
【００５７】
接続管理部１８４は、映像再生装置１０４ａ，１０４ｂ，１０４ｃおよび１０４ｄの各々に出力制御命令を送信し、ディスプレイ１０８ａ，１０８ｂ，１０８ｃおよび１０８ｄの各々に入力選択命令を送信する。
【００５８】
６  接続管理データ
図５は、接続管理データを示す図である。
【００５９】
図５に示される接続管理データＣＭＤは、制御装置１１０に記憶される。
【００６０】
接続管理データＣＭＤにおいては、ディスプレイ１０８ａ，１０８ｂ，１０８ｃおよび１０８ｄの各々である各ディスプレイについて、各ディスプレイと、各ディスプレイに対応する映像再生装置と、各ディスプレイに対応する映像再生装置が故障した場合に故障した映像再生装置に代わって映像信号を出力する映像再生装置に備えられる副出力端子であるバックアップ出力端子と、が紐付けされる。
【００６１】
各ディスプレイに備えられる主入力端子には、各ディスプレイに対応する映像再生装置に備えられる主出力端子が接続される。各ディスプレイに備えられる副入力端子には、各ディスプレイに対応する映像再生装置が故障した場合に故障した映像再生装置に代わって映像信号を出力する映像再生装置に備えられるバックアップ出力端子が接続される。
【００６２】
接続管理データＣＭＤは、映像再生装置１０４ａ，１０４ｂ，１０４ｃおよび１０４ｄがそれぞれディスプレイ１０８ａ，１０８ｂ，１０８ｃおよび１０８ｄに対応することを示し、映像再生装置１０４ａ，１０４ｂ，１０４ｃおよび１０４ｄが故障した場合に、それぞれ映像再生装置１０４ｂ，１０４ａ，１０４ｄおよび１０４ｃがバックアップとして機能し、それぞれ副出力端子１２４ｂ，１２４ａ，１２４ｄおよび１２４ｃがバックアップ出力端子として機能することを示す。
【００６３】
７  映像の配信
図６は、映像配信装置により配信される映像およびディスプレイに表示される映像を示す図である。
【００６４】
図６に示されるように、映像配信装置１０２ａ，１０２ｂ，１０２ｃおよび１０２ｄがそれぞれ映像Ｉａ，Ｉｂ，ＩｃおよびＩｄを配信する場合は、ディスプレイ１０８ａ，１０８ｂ，１０８ｃおよび１０８ｄにそれぞれ映像Ｉａ，Ｉｂ，ＩｃおよびＩｄが表示される。
【００６５】
８  マルチディスプレイシステムの動作
８．１  映像再生装置群が故障した映像再生装置を含まない場合
図７は、映像再生装置群が故障した映像再生装置を含まない場合の映像データおよび映像信号の流れを示す図である。図７は、図６に示される表示を実現するための映像データおよび映像信号の流れを示す。
【００６６】
故障検知部１８２が映像再生装置１０４ａ，１０４ｂ，１０４ｃおよび１０４ｄの故障を検知していない場合は、接続管理部１８４は、接続管理データＣＭＤを参照し、映像再生装置１０４ａ，１０４ｂ，１０４ｃおよび１０４ｄの各々に、映像信号ＩＳｍを主映像出力部１５２から出力させるが映像信号ＩＳｓを副出力端子１５８から出力させない制御を制御部１６０に行わせる出力制御命令を送信する。また、接続管理部１８４は、接続管理データＣＭＤを参照し、ディスプレイ１０８ａ，１０８ｂ，１０８ｃおよび１０８ｄの各々に、入力選択部１７６に主入力端子１７２を選択させる入力選択命令を送信する。
【００６７】
このような出力制御命令および入力選択命令が送信された場合は、映像再生装置１０４ａ，１０４ｂ，１０４ｃおよび１０４ｄの各々において、制御部１６０が、出力制御命令にしたがって、受信部１４４に映像データＩＤｍを受信させるが映像データＩＤｓを受信させず、映像復元部１４８に映像データＩＤｍに対して復元再生を行わせるが映像データＩＤｓに対して復元再生を行わせず、主映像出力部１５２に映像信号ＩＳｍを主出力端子１５６から出力させ、副映像出力部１５４に映像信号ＩＳｓを副出力端子１５８から出力させない制御を行う。また、ディスプレイ１０８ａ，１０８ｂ，１０８ｃおよび１０８ｄの各々において、入力選択部１７６が、入力選択命令にしたがって、主入力端子１７２を選択する。
【００６８】
その結果として、図７に示されるように、映像配信装置１０２ａ，１０２ｂ，１０２ｃおよび１０２ｄがそれぞれ映像データＩＤａ，ＩＤｂ，ＩＤｃおよびＩＤｄを送信し、映像再生装置１０４ａ，１０４ｂ，１０４ｃおよび１０４ｄがそれぞれ送信された映像データＩＤａ，ＩＤｂ，ＩＤｃおよびＩＤｄを受信する。映像再生装置１０４ａ，１０４ｂ，１０４ｃおよび１０４ｄは、それぞれ受信した映像データＩＤａ，ＩＤｂ，ＩＤｃおよびＩＤｄに対して復元再生を行い、それぞれ映像信号ＩＳａ，ＩＳｂ，ＩＳｃおよびＩＳｄを生成し、それぞれ生成した映像信号ＩＳａ，ＩＳｂ，ＩＳｃおよびＩＳｄを出力する。映像信号ＩＳａ，ＩＳｂ，ＩＳｃおよびＩＳｄは、それぞれ主出力端子１２２ａ，１２２ｂ，１２２ｃおよび１２２ｄから出力され、それぞれ主入力端子１３２ａ，１３２ｂ，１３２ｃおよび１３２ｄに入力される。ディスプレイ１０８ａ，１０８ｂ，１０８ｃおよび１０８ｄは、それぞれ入力された映像信号ＩＳａ，ＩＳｂ，ＩＳｃおよびＩＳｄにより表現される映像を表示する。映像信号ＩＳａ，ＩＳｂ，ＩＳｃおよびＩＳｄにより表現される映像は、それぞれ図６に示される映像Ｉａ，Ｉｂ，ＩｃおよびＩｄである。
【００６９】
８．２  映像再生装置群が故障した映像再生装置を含む場合
図８は、映像再生装置群が故障した映像再生装置を含む場合の映像データおよび映像信号の流れを示す図である。図８は、図６に示される表示を実現するための映像データおよび映像信号の流れを示す。
【００７０】
映像再生装置１０４ａが故障した場合は、映像再生装置１０４ａにおいて映像再生装置１０４ａが故障していることを示す故障状況通知を監視部１６２が故障検知部１８２に送信し、故障検知部１８２が映像再生装置１０４ａの故障を検知する。
【００７１】
故障検知部１８２が映像再生装置１０４ａの故障を検知した場合は、接続管理部１８４は、接続管理データＣＭＤを参照し、映像再生装置１０４ａのバックアップとして機能する映像再生装置１０４ｂに、映像信号ＩＳｍを主出力端子１５６から出力させ映像信号ＩＳｓを副出力端子１５８から出力させる制御を制御部１６０に行わせる出力制御命令を送信する。また、接続管理部１８４は、接続管理データＣＭＤを参照し、映像再生装置１０４ａのバックアップとして機能しない映像再生装置１０４ｃおよび１０４ｄの各々に、映像信号ＩＳｍを主出力端子１５６から出力させるが映像信号ＩＳｓを副出力端子１５８から出力させない制御を制御部１６０に行わせる出力制御命令を送信する。また、接続管理部１８４は、接続管理データＣＭＤを参照し、故障した映像再生装置１０４ａに対応するディスプレイ１０８ａに、入力選択部１７６に副入力端子１７４を選択させる入力選択命令を送信する。また、接続管理部１８４は、接続管理データＣＭＤを参照し、故障した映像再生装置１０４ａに対応しないディスプレイ１０８ｂ，１０８ｃおよび１０８ｄの各々に、入力選択部１７６に主入力端子１７２を選択させる入力選択命令を送信する。
【００７２】
このような出力制御命令および入力選択命令が送信された場合は、映像再生装置１０４ｂにおいて、制御部１６０が、出力制御命令にしたがって、受信部１４４に映像データＩＤｍおよびＩＤｓを受信させ、映像復元部１４８に映像データＩＤｍおよびＩＤｓに対して復元再生を行わせ、主映像出力部１５２に映像信号ＩＳｍを主出力端子１５６から出力させ、副映像出力部１５４に映像信号ＩＳｓを副出力端子１５８から出力させる制御を行う。また、映像再生装置１０４ｃおよび１０４ｄの各々において、制御部１６０が、出力制御命令にしたがって、受信部１４４に映像データＩＤｍを受信させるが映像データＩＤｓを受信させず、映像復元部１４８に映像データＩＤｍに対して復元再生を行わせるが映像データＩＤｓに対して復元再生を行わせず、主映像出力部１５２に映像信号ＩＳｍを主出力端子１５６から出力させ、副映像出力部１５４に映像信号ＩＳｓを副出力端子１５８から出力させない制御を行う。また、ディスプレイ１０８ａにおいて、入力選択部１７６が、入力選択命令にしたがって、副入力端子１７４を選択する。また、ディスプレイ１０８ｂ，１０８ｃおよび１０８ｄの各々において、入力選択部１７６が、入力選択命令にしたがって、主入力端子１７２を選択する。
【００７３】
その結果として、図８に示されるように、映像配信装置１０２ａ，１０２ｂ，１０２ｃおよび１０２ｄがそれぞれ映像データＩＤａ，ＩＤｂ，ＩＤｃおよびＩＤｄを送信し、映像再生装置１０４ｂが送信された映像データＩＤａおよびＩＤｂを受信し、映像再生装置１０４ｃおよび１０４ｄがそれぞれ送信された映像データＩＤｃおよびＩＤｄを受信する。映像再生装置１０４ｂは、受信した映像データＩＤａおよびＩＤｂの各々に対して復元再生を行い、映像信号ＩＳａおよびＩＳｂを生成し、生成した映像信号ＩＳａおよびＩＳｂを出力する。映像信号ＩＳｂは、主出力端子１２２ｂから出力され、主入力端子１３２ｂに入力される。映像信号ＩＳａは、副出力端子１２４ｂから出力され、副入力端子１３４ａに入力される。映像再生装置１０４ｃおよび１０４ｄは、それぞれ受信した映像データＩＤｃおよびＩＤｄに対して復元再生を行い、それぞれ映像信号ＩＳｃおよびＩＳｄを生成し、それぞれ生成した映像信号ＩＳｃおよびＩＳｄを出力する。映像信号ＩＳｃおよびＩＳｄは、それぞれ主出力端子１２２ｃおよび１２２ｄから出力され、それぞれ主入力端子１３２ｃおよび１３２ｄに入力される。ディスプレイ１０８ａ，１０８ｂ，１０８ｃおよび１０８ｄは、それぞれ入力された映像信号ＩＳａ，ＩＳｂ，ＩＳｃおよびＩＳｄにより表現される映像を表示する。
【００７４】
８．３  非故障時の管理と故障時の管理との違い
接続管理部１８４は、映像再生装置１０４ａの故障が検知される前は、映像再生装置１０４ａのバックアップとして機能する映像再生装置１０４ｂにおいて、映像信号ＩＳｍを主出力端子１５６から出力させるが映像信号ＩＳｓを副出力端子１５８から出力させない制御を制御部１６０に行わせ、映像再生装置１０４ａに対応するディスプレイ１０８ａにおいて、入力選択部１７６に主入力端子１７２を選択させる非故障時の管理を行う。
【００７５】
また、接続管理部１８４は、映像再生装置１０４ａの故障が検知された後は、映像再生装置１０４ａのバックアップとして機能する映像再生装置１０４ｂにおいて、映像信号ＩＳｍを主出力端子１５６から出力させ映像信号ＩＳｓを副出力端子１５８から出力させる制御を制御部１６０に行わせ、映像再生装置１０４ａに対応するディスプレイ１０８ａにおいて、入力選択部１７６に副入力端子１７４を選択させる故障時の管理を行う。
【００７６】
映像再生装置１０４ｂ，１０４ｃまたは１０４ｄの故障が検知された場合も、対応するディスプレイがそれぞれディスプレイ１０８ｂ，１０８ｃおよび１０８ｄになりバックアップとして機能する映像再生装置がそれぞれ映像再生装置１０４ａ，１０４ｄまたは１０４ｃになるが、映像再生装置１０４ａの故障が検知された場合と同様の管理が行われる。
【００７７】
このような管理によれば、映像再生装置１０４ａ，１０４ｂ，１０４ｃまたは１０４ｄが故障した場合でも映像の表示が継続される。また、映像の表示を継続するために予備の映像再生装置を準備する必要がなく、システム全体のコストが抑制される。
【００７８】
接続管理部１８４は、映像再生装置１０４ａの故障が検知された後に映像再生装置１０４ａの故障が検知されなくなった場合は、再び非故障時の管理を行う。これにより、映像再生装置１０４ａが故障状態から正常状態に復帰した場合に映像再生装置１０４ａおよび４ｂならびにディスプレイ１０８ａが故障前の動作状態に自動的に復帰する。
【００７９】
映像再生装置１０４ａが故障状態から正常状態に復帰した場合は、映像再生装置１０４ａにおいて映像再生装置１０４ａが故障していないことを示す故障状況通知を監視部１６２が故障検知部１８２に送信し、故障検知部１８２が映像再生装置１０４ａの故障の解消を検知する。
【００８０】
故障検知部１８２が映像再生装置１０４ａの故障の解消を検知した場合は、接続管理部１８４は、映像再生装置１０４ｂに、主出力端子１５６からの映像信号ＩＳｍの出力を停止させず副出力端子１５８からの映像信号ＩＳｓの出力を停止させる制御を制御部１６０に行わせる出力制御命令を送信する。また、接続管理部１８４は、ディスプレイ１０８ａに、入力選択部１７６に主入力端子１７２を選択させる入力選択命令を送信する。
【００８１】
このような出力制御命令および入力選択命令が送信された場合は、映像再生装置１０４ａにおいて、制御部１６０が、出力制御命令にしたがって、受信部１４４に映像データＩＤｍを受信させるが映像データＩＤｓを受信させず、映像復元部１４８に映像データＩＤｍに対して復元再生を行わせるが映像データＩＤｓに対して復元再生を行わせず、主映像出力部１５２に映像信号ＩＳｍを主出力端子１５６から出力させ、副映像出力部１５４に映像信号ＩＳｓを副出力端子１５８から出力させない制御を行う。また、映像再生装置１０４ｂにおいて、制御部１６０が、出力制御命令にしたがって、受信部１４４に映像データＩＤｓの受信を停止させ、映像復元部１４８に映像データＩＤｓの復元再生を停止させ、副映像出力部１５４に副出力端子１５８からの映像信号ＩＳｓの出力を停止させる制御を行う。また、ディスプレイ１０８ａにおいて、入力選択部１７６が、入力選択命令にしたがって、主入力端子１７２を選択する。
【００８２】
８．４  復元再生方法の選択
映像復元部１４８に映像データＩＤｍおよびＩＤｓに対して復元再生を行わせる制御が行われる場合は、映像復元部１４８は、相対的に低い処理負荷を映像復元部１４８に与える第１の復元再生方法を用いて映像データＩＤａおよびＩＤｂの各々に対して復元再生を行う。また、映像復元部１４８に映像データＩＤｍに対して復元再生を行わせるが映像データＩＤｓに対して復元再生を行わせない制御が行われる場合は、映像復元部１４８は、相対的に高い処理負荷を映像復元部１４８に与える第２の復元再生方法を用いて映像データＩＤｂに対して復元再生を行う。これにより、映像復元部１４８が復元再生を行う映像データの数が増えた場合に映像復元部１４８に与える処理負荷が低い復元再生方法が用いられる。したがって、映像復元部１４８にかかる処理負荷の増大が抑制され、映像復元部１４８の処理能力を超えた処理負荷が映像復元部１４８にかかることが抑制され、安定した動作の継続が可能になる。
【００８３】
監視部１６２により映像復元部１４８の負荷状態が監視され、負荷状態が設定値を超える状態である場合に第１の復元再生方法が用いられ負荷状態が設定値を超えない状態である場合に第２の復元再生方法が用いられるようにされてもよい。これにより、負荷状態が相対的に高い状態である場合は第１の復元再生方法が用いられ、負荷状態が相対的に低い状態である場合は第２の復元再生方法が用いられる。
【００８４】
なお、本発明は、その発明の範囲内において、実施の形態を適宜、変形、省略することが可能である。
【符号の説明】
【００８５】
１００  マルチディスプレイシステム、１０８  マルチディスプレイ、１１０  制御装置、１０２ａ，１０２ｂ，１０２ｃ，１０２ｄ  映像配信装置、１０４ａ，１０４ｂ，１０４ｃ，１０４ｄ，１４０  映像再生装置、１０８ａ，１０８ｂ，１０８ｃ，１０８ｄ，１７０  ディスプレイ、１２２ａ，１２２ｂ，１２２ｃ，１２２ｄ  主出力端子、１２４ａ，１２４ｂ，１２４ｃ，１２４ｄ  副出力端子、１３２ａ，１３２ｂ，１３２ｃ，１３２ｄ  主入力端子、１３４ａ，１３４ｂ，１３４ｃ，１３４ｄ  副入力端子、１８２  故障検知部、１８４  接続管理部、ＩＤａ，ＩＤｂ，ＩＤｃ，ＩＤｄ，ＩＤｍ，ＩＤｓ  映像データ、ＩＳａ，ＩＳｂ，ＩＳｃ，ＩＳｄ，ＩＳｍ，ＩＳｓ  映像信号、Ｉａ，Ｉｂ，Ｉｃ，Ｉｄ  映像。
【図１】
0006647136.tif 000002
【図２】
0006647136.tif 000003
【図３】
0006647136.tif 000004
【図４】
0006647136.tif 000005
【図５】
0006647136.tif 000006
【図６】
0006647136.tif 000007
【図７】
0006647136.tif 000008
【図８】
0006647136.tif 000009